(57)【要約】      （修正有）【課題】杭打機のリーダの高さが低い場合でも、ロッド部材を、作業装置に連結することを可能とするロッド部材埋設用キャップ及びロッド部材の埋設方法を提供する。【解決手段】ロッド部材埋設用キャップ１は、杭打機１００のリーダ１２０に沿って昇降する作業装置１３０により、回転させながら埋設するロッド部材Ｐを、作業装置１３０に連結するものであり、ロッド部材Ｐの外径より大きい内径で形成された筒形状を形成し、内部に配置されたロッド部材Ｐを保持する本体１０を有し、本体１０は、内部に配置されたロッド部材Ｐの外周面に面する部分が開閉可能である。【選択図】図１
2020060043.tif 000002
【特許請求の範囲】
【請求項１】
杭打機のリーダに沿って昇降する作業装置により、回転させながら埋設するロッド部材を、前記作業装置に連結するロッド部材埋設用キャップにおいて、
前記ロッド部材の外径より大きい内径で形成された筒形状を形成し、内部に配置された前記ロッド部材を保持する本体を有し、
前記本体は、内部に配置された前記ロッド部材の外周面に面する部分が開閉可能であることを特徴とするロッド部材埋設用キャップ。
【請求項２】
前記ロッド部材の上部には、外周面から突起する突起部が形成され、
前記本体には、前記突起部と係合する係合部が形成され、
前記係合部は、前記本体の上部側に形成された上部係合部と、前記本体の下部側に形成された下部係合部と、前記上部係合部と前記下部係合部とに連通し、前記突起部がスライド移動可能に形成された溝部と、を有し、
前記溝部は、少なくとも一部が前記本体を貫通していることを特徴とする請求項１に記載のロッド部材埋設用キャップ。
【請求項３】
前記本体は、固定部と、前記固定部に回動可能に連結された回動部と、を有し、
前記回動部は、複数の部材が連結されることで、前記ロッド部材の外周方向において、少なくとも前記ロッド部材の外周の半分を覆い、
前記本体は、前記回動部の前記複数の部材が連結されることで閉じた状態となり、前記回動部の前記複数の部材の連結が解除されることで、開いた状態となることを特徴とする請求項１又は２に記載のロッド部材埋設用キャップ。
【請求項４】
杭打機のリーダに沿って昇降する作業装置により、ロッド部材を回転させながら埋設するロッド部材の埋設工法であって、
前記ロッド部材を、前記作業装置に連結するロッド部材埋設用キャップが、
前記ロッド部材の外径より大きい内径で形成された筒形状を形成し、内部に配置された前記ロッド部材を保持する本体を有し、
前記本体は、内部に配置された前記ロッド部材の外周面に面する部分が開閉可能であり、
前記ロッド部材の上部には、外周面から突起する突起部が形成され、
前記本体には、前記突起部と係合する係合部が形成され、
前記係合部は、前記本体の上部側に形成された上部係合部と、前記本体の下部側に形成された下部係合部と、前記上部係合部と前記下部係合部とに連通し、前記突起部が通過可能に形成された溝部と、を有しており、
前記本体を開き、前記ロッド部材の前記突起部を、前記上部係合部に係合させてから、前記本体を閉じ、
前記作業装置を降下させながら、前記ロッド部材を回転させて埋設し、
その後、前記突起部と前記上部係合部との係合を解除し、前記突起部の位置に前記溝部を配置し、前記溝部において前記突起部が通過するように、前記作業装置を上昇させ、前記突起部の位置に前記下部係合部を配置し、前記突起部を、前記下部係合部に係合させ、
前記作業装置を降下させながら、前記ロッド部材を回転させて、さらに埋設するロッド部材の埋設工法。
【発明の詳細な説明】
【技術分野】
【０００１】
本発明は、ロッド部材埋設用キャップ及びロッド部材の埋設工法に関し、詳しくは、杭打機のリーダに沿って昇降する作業装置により、回転させながら埋設するロッド部材を、前記作業装置に連結するロッド部材埋設用キャップ及びロッド部材の埋設工法に関する。
【背景技術】
【０００２】
従来、鋼管杭等のロッド部材は、杭打機のリーダに沿って昇降する作業装置に設けられたロッド部材埋設用キャップに基端側を係合させることで、作業装置の回転力が伝達され、回転しながら先端側から埋設される。ロッド部材は、基端側を、ロッド部材埋設用キャップの下端から挿入することで、ロッド部材埋設用キャップに係合される。
【０００３】
このようなロッド部材埋設用キャップとして、鋼管杭を下方から挿入可能な鋼管杭挿入筒と、鋼管杭挿入筒の上端に設けられた回転駆動装置連結部と、鋼管杭挿入筒の内周面に設けられて鋼管杭の上部外周に突設した係合突起が通過可能な突起挿通溝と、突起挿通溝の上部及び下部にそれぞれ設けられた上部係合部及び下部係合部とを備える鋼管杭連結用キャップが提案されている（特許文献１）。
特許文献１の鋼管杭連結用キャップによれば、地盤改良仕様の杭打機で鋼管杭の埋設作業を行う際に一般的な定尺長さの鋼管杭を使用することが可能となる。
【先行技術文献】
【特許文献】
【０００４】
【特許文献１】特開２０１３−２１６２号公報
【発明の概要】
【発明が解決しようとする課題】
【０００５】
しかしながら、特許文献１の鋼管杭連結用キャップは、上部係合部及び下部係合部の２つの係合部を上下方向に設けるため、係合部を１つしか設けない場合に比べ、上下方向のサイズが大きくなる。
このため、例えば、杭打機のリーダの高さが低い場合、作業装置をリーダの高さ一杯に上げても、鋼管杭連結用キャップの下端が、ロッド部材の基端まで上がらず、ロッド部材の基端側を、ロッド部材埋設用キャップの下端から挿入することができない場合があった。
【０００６】
本発明は、杭打機のリーダの高さが低い場合でも、ロッド部材を、作業装置に連結することを可能とするロッド部材埋設用キャップ及びロッド部材の埋設工法を提供することを目的とする。
【課題を解決するための手段】
【０００７】
（１）  杭打機のリーダに沿って昇降する作業装置により、回転させながら埋設するロッド部材を、前記作業装置に連結するロッド部材埋設用キャップにおいて、
前記ロッド部材の外径より大きい内径で形成された筒形状を形成し、内部に配置された前記ロッド部材を保持する本体を有し、
前記本体は、内部に配置された前記ロッド部材の外周面に面する部分が開閉可能であることを特徴とするロッド部材埋設用キャップ。
【０００８】
（１）の発明によれば、ロッド部材埋設用キャップは、杭打機のリーダに沿って昇降する作業装置により、回転させながら埋設するロッド部材を、作業装置に連結するものであり、本体を有する。
本体は、ロッド部材の外径より大きい内径で形成された筒形状を形成し、内部に配置されたロッド部材を保持し、内部に配置されたロッド部材の外周面に面する部分が開閉可能である。
【０００９】
このような構成によれば、ロッド部材を埋設する場合、本体を開き、ロッド部材の外周面側から、本体内部にロッド部材を配置し、本体を閉じることで、ロッド部材を、本体で保持し、作業装置に連結し、回転させながら埋設することができる。
これにより、杭打機のリーダの高さが低く、作業装置をリーダの高さ一杯に上げても、ロッド部材埋設用キャップの下端が、ロッド部材の基端まで上がらない場合でも、ロッド部材の外周面側から、本体内部にロッド部材を配置し保持できる。
したがって、杭打機のリーダの高さが低い場合でも、ロッド部材を、作業装置に連結することを可能とするロッド部材埋設用キャップを提供できる。
【００１０】
（２）  前記ロッド部材の上部には、外周面から突起する突起部が形成され、
前記本体には、前記突起部と係合する係合部が形成され、
前記係合部は、前記本体の上部側に形成された上部係合部と、前記本体の下部側に形成された下部係合部と、前記上部係合部と前記下部係合部とに連通し、前記突起部がスライド移動可能に形成された溝部と、を有し、
前記溝部は、少なくとも一部が前記本体を貫通していることを特徴とする（１）に記載のロッド部材埋設用キャップ。
【００１１】
（２）の発明によれば、ロッド部材の上部には、外周面から突起する突起部が形成されている。
そして、本体には、突起部と係合する係合部が形成され、係合部は、上部係合部と、下部係合部と、溝部と、を有する。
上部係合部は、本体の上部側に形成されている。
下部係合部は、本体の下部側に形成されている。
溝部は、上部係合部と下部係合部とに連通し、突起部がスライド移動可能に形成されており、少なくとも一部が本体を貫通している。
【００１２】
ここで、杭打機の作業装置は、地表面上に立設するリーダに沿って昇降するため、地表面より下に降ろすことはできない。そして、埋設完了後におけるロッド部材の基端レベル（例えば、杭頭レベル）が地表面より下に設定されている場合がある。このような場合、作業装置にロッド部材を連結するロッド部材埋設用キャップの上下方向のサイズを比較的大きくすることで、作業装置が地表面より上までしか降ろせない場合でも、ロッド部材埋設用キャップの下部側を地表面より下に降ろすことで、地表面より下の所定レベルまで、ロッド部材を埋設することができる。
【００１３】
また、上記のような状況において、さらに、杭打機のリーダの高さが低く、作業装置をリーダの高さ一杯に上げても、ロッド部材埋設用キャップの下端が、ロッド部材の基端まで上がらない場合もある。
【００１４】
（２）の構成によれば、上記のような場合、まず、本体を開き、ロッド部材の突起部を、上部係合部に係合させてから、本体を閉じ、作業装置を降下させながら、ロッド部材を回転させて埋設し、その後、突起部と上部係合部との係合を解除し、突起部の位置に溝部を配置し、溝部において突起部が通過するように、作業装置を上昇させ、突起部の位置に下部係合部を配置し、突起部を、下部係合部に係合させ、作業装置を降下させながら、ロッド部材を回転させて、さらに埋設することが可能となる。
これにより、杭打機のリーダの高さが低く、作業装置をリーダの高さ一杯に上げても、ロッド部材埋設用キャップの下端が、ロッド部材の基端まで上がらない場合でも、地表面より下の所定レベルまで、ロッド部材を埋設することができる。
【００１５】
（３）  前記本体は、固定部と、前記固定部に回動可能に連結された回動部と、を有し、
前記回動部は、複数の部材が連結されることで、前記ロッド部材の外周方向において、少なくとも前記ロッド部材の外周の半分を覆い、
前記本体は、前記回動部の前記複数の部材が連結されることで閉じた状態となり、前記回動部の前記複数の部材の連結が解除されることで、開いた状態となることを特徴とする（１）又は（２）に記載のロッド部材埋設用キャップ。
【００１６】
（３）の発明によれば、本体は、固定部と、回動部と、を有する。
回動部は、固定部に回動可能に連結され、複数の部材が連結されることで、ロッド部材の外周方向において、少なくともロッド部材の外周の半分を覆う。
そして、本体は、回動部の複数の部材が連結されることで閉じた状態となり、回動部の複数の部材の連結が解除されることで、開いた状態となる。
【００１７】
これにより、本体の一部（回動部）だけを回動させることで、本体を閉じた状態としたり、開いた状態としたりすることが可能になるので、本体全体を動かす場合に比べて、作業効率が向上する。
【００１８】
（４）  杭打機のリーダに沿って昇降する作業装置により、ロッド部材を回転させながら埋設するロッド部材の埋設工法であって、
前記ロッド部材を、前記作業装置に連結するロッド部材埋設用キャップが、
前記ロッド部材の外径より大きい内径で形成された筒形状を形成し、内部に配置された前記ロッド部材を保持する本体を有し、
前記本体は、内部に配置された前記ロッド部材の外周面に面する部分が開閉可能であり、
前記ロッド部材の上部には、外周面から突起する突起部が形成され、
前記本体には、前記突起部と係合する係合部が形成され、
前記係合部は、前記本体の上部側に形成された上部係合部と、前記本体の下部側に形成された下部係合部と、前記上部係合部と前記下部係合部とに連通し、前記突起部が通過可能に形成された溝部と、を有しており、
前記本体を開き、前記ロッド部材の前記突起部を、前記上部係合部に係合させてから、前記本体を閉じ、
前記作業装置を降下させながら、前記ロッド部材を回転させて埋設し、
その後、前記突起部と前記上部係合部との係合を解除し、前記突起部の位置に前記溝部を配置し、前記溝部において前記突起部が通過するように、前記作業装置を上昇させ、前記突起部の位置に前記下部係合部を配置し、前記突起部を、前記下部係合部に係合させ、
前記作業装置を降下させながら、前記ロッド部材を回転させて、さらに埋設するロッド部材の埋設工法。
【００１９】
（４）の発明によれば、（２）の発明と同様に、杭打機のリーダの高さが低く、作業装置をリーダの高さ一杯に上げても、ロッド部材埋設用キャップの下端が、ロッド部材の基端まで上がらない場合でも、地表面より下の所定レベルまで、ロッド部材を埋設することができる。
したがって、杭打機のリーダの高さが低い場合でも、ロッド部材を、作業装置に連結することを可能とするロッド部材の埋設工法を提供できる。
【発明の効果】
【００２０】
本発明によれば、杭打機のリーダの高さが低い場合でも、ロッド部材を、作業装置に連結することが可能となる。
【図面の簡単な説明】
【００２１】
【図１】本発明の実施形態に係るロッド部材埋設用キャップが取り付けられた杭打機を示す図である。
【図２】前記実施形態に係るロッド部材埋設用キャップを説明する図である。
【図３】前記実施形態に係るロッド部材埋設用キャップを説明する図である。
【図４】本実施形態に係るロッド部材埋設用キャップが取り付けられた杭打機において、ロッド部材等を埋設する手順を説明する図である。
【図５】本実施形態に係るロッド部材埋設用キャップが取り付けられた杭打機において、ロッド部材等を埋設する手順を説明する図である。
【発明を実施するための形態】
【００２２】
以下、本発明の実施形態を図面に基づいて説明する。以下の説明において、同一の構成には、同一の符号を付し、その説明を省略又は簡略化する。
図１は、本発明の実施形態に係るロッド部材埋設用キャップ１が取り付けられた杭打機１００を示す図である。
杭打機１００は、杭打機１００を駆動する動力源、杭打機１００を走行させ無限軌道等の走行部等が設けられた駆動装置１１０と、駆動装置１１０により垂直に支持されたリーダ１２０と、リーダ１２０に沿って昇降し、ロッド部材Ｐを、回転させながら埋設する作業装置（例えば、オーガモータ等）１３０と、作業装置１３０の下端側に取り付けられたロッド部材埋設用キャップ１と、を備える。
【００２３】
また、本実施形態において、ロッド部材Ｐは、例えば、鋼管杭で構成され、上下方向に延びる軸部Ｐ１と、軸部Ｐ１の外周面の少なくとも下部に形成された螺旋形状の羽根Ｐ２と、軸部Ｐ１の外周面の上部において、軸部Ｐ１の外周面から突起する突起部Ｐ３と、を備える。
突起部Ｐ３は、軸部Ｐ１の外周面に、軸部Ｐ１の外周方向において、１８０°間隔（軸部Ｐ１の外周において対向する位置）に２つ設けられている。なお、突起部Ｐ３は、２つに限らず、３つ以上設けてもよい。
【００２４】
また、ロッド部材Ｐは、１つの部材に限らず、例えば、下端側に羽根を備える下杭と、下杭の上端に接続される上杭とで構成してもよい。この場合、下杭と上杭とにそれぞれ突起部Ｐ３を備える。また、上杭は、１つに限らず、複数接続してもよい。
【００２５】
なお、ロッド部材Ｐは、軸部の外周面から突起する突起部が設けられており、杭打機の作業装置により回転させながら地盤面に埋設するものであれば、鋼管杭に限らす、例えば、掘削ドリル等であっても、本実施形態に係るロッド部材埋設用キャップ１を適用することができる。
【００２６】
このような杭打機１００によれば、作業装置１３０にはロッド部材埋設用キャップ１が取り付けられており、このロッド部材埋設用キャップ１により、ロッド部材Ｐを保持する。ロッド部材Ｐは、作業装置１３０からの回転力が、ロッド部材埋設用キャップ１を介して伝達され、作業装置１３０がリーダ１２０に沿って降下することにより、先端側の羽根Ｐ２が地盤に食い込み埋設される。
すなわち、ロッド部材埋設用キャップ１は、杭打機１００のリーダ１２０に沿って昇降する作業装置１３０により、回転させながら埋設するロッド部材Ｐを、作業装置１３０に連結する物である。
【００２７】
図２及び図３は、前記実施形態に係るロッド部材埋設用キャップ１を説明する図である。図２は、ロッド部材埋設用キャップ１の閉じた状態を示し、図３は、ロッド部材埋設用キャップ１の開いた状態を示している。また、各図において、（ａ）は側面図を示し、（ｂ）は（ａ）に示すＸＸ断面図を示している。
【００２８】
ロッド部材埋設用キャップ１は、本体１０と、本体１０の上端に設けられ、ロッド部材埋設用キャップ１を作業装置１３０（図１参照）に装着する装着部２０と、を備える。
本体１０は、ロッド部材Ｐの軸部Ｐ１（図１参照）の外径より大きく、２つの突起部Ｐ３の先端間の寸法より小さい内径で形成された筒形状を形成し、内部に配置されたロッド部材Ｐを保持し、内部に配置されたロッド部材Ｐの軸部Ｐ１の外周面に面する部分（装着部２０が設けられた面を上面した場合の側面）が開閉可能である。
【００２９】
詳細には、本体１０は、固定部１１と、回動部１２と、を有する。
固定部１１は、装着部２０との相対的な位置が変わらず、筒形状に形成された本体１０の周方向における略半分の側面を形成する。
【００３０】
回動部１２は、固定部１１に回動可能に連結され、第１部材１２１及び第２部材１２２が連結されることで、筒形状に形成された本体１０の周方向における略半分の側面を形成し、ロッド部材Ｐの外周方向において、少なくともロッド部材Ｐの外周の半分を覆う。
【００３１】
第１部材１２１及び第２部材１２２は、それぞれ、一方の上下方向に延びる側縁が固定部１１に回動可能に連結され、他方の上下方向に延びる側縁が互いに連結又は解除可能に形成されている。
【００３２】
このように構成することで、本体１０は、回動部１２における第１部材１２１及び第２部材１２２の他方の上下方向に延びる側縁が互いに連結されることで閉じた状態となり、第１部材１２１及び第２部材１２２の当該側縁の連結が解除されることで、開いた状態となる。
【００３３】
また、本体１０には、ロッド部材Ｐの突起部Ｐ３（図１参照）と係合する係合部１３が形成され、係合部１３は、上部係合部１３１と、下部係合部１３２と、溝部１３３と、を有する。
上部係合部１３１は、本体１０の上部側に形成され、本体１０の周方向に延びる溝である。
下部係合部１３２は、本体１０の下部側に形成され、本体１０の周方向に延びる溝である。
溝部１３３は、上部係合部１３１と下部係合部１３２とに連通し、突起部Ｐ３がスライド移動可能に形成されており、少なくとも一部が本体１０を貫通している。詳細には、溝部１３３は、上部係合部１３１の略中央から、下部係合部１３２の略中央に向かい、下部係合部１３２から本体１０の下端まで、上下方向に延びる溝である。
【００３４】
上部係合部１３１、下部係合部１３２及び溝部１３３は、ロッド部材Ｐの突起部Ｐ３（図１参照）と同じ数だけ、同じ対応関係で形成されている。本実施形態では、上述したように、突起部Ｐ３は、軸部Ｐ１の外周方向において、１８０°間隔（軸部Ｐ１の外周において対向する位置）に２つ設けられている。このため、上部係合部１３１、下部係合部１３２及び溝部１３３も、１８０°間隔（本体１０の周方向において対向する位置）に２つ設けられている。
【００３５】
詳細には、本実施形態において、上部係合部１３１、下部係合部１３２及び溝部１３３は、固定部１１と回動部１２とにそれぞれ形成されている。
固定部１１においては、略中央部に、上部係合部１３１、下部係合部１３２及び溝部１３３が形成されている。
また、回動部１２において、上部係合部１３１、下部係合部１３２及び溝部１３３は、第１部材１２１及び第２部材１２２に跨がって形成されている。すなわち、回動部１２において、上部係合部１３１、下部係合部１３２及び溝部１３３は、第１部材１２１及び第２部材１２２の互いに連結又は解除する側縁に、略半分ずつ形成されており、第１部材１２１及び第２部材１２２が互いに連結された状態で、固定部１１に形成された上部係合部１３１、下部係合部１３２及び溝部１３３と対向する位置において、これらと同一形状の溝となる。
【００３６】
次に、本実施形態に係るロッド部材埋設用キャップ１が取り付けられた杭打機１００において、ロッド部材Ｐ等を埋設する手順について説明する。
図４及び図５は、本実施形態に係るロッド部材埋設用キャップ１が取り付けられた杭打機１００において、ロッド部材Ｐ等を埋設する手順を説明する図である。
【００３７】
まず、図１に示すように、回動部１２の第１部材１２１及び第２部材１２２の連結を解除し、本体１０を開いた状態とする。
そして、図４（ａ）に示すように、ロッド部材Ｐの下杭Ｐａの突起部Ｐ３を、本体１０の上部係合部１３１に係合させ、第１部材１２１及び第２部材１２２を連結し、本体１０を閉じた状態とする。これにより、ロッド部材埋設用キャップ１を介して、下杭Ｐａが作業装置１３０に連結される。
【００３８】
次に、作業装置１３０を降下させながら、下杭Ｐａを回転させて埋設し、所定位置（例えば、リーダ１２０の最下位置）に作業装置１３０を回転させながら降下させたら、作業装置１３０を埋設時とは逆の方向に回転させて、突起部Ｐ３と上部係合部１３１との係合を解除し、突起部Ｐ３の位置に溝部１３３を配置し、作業装置１３０を回転させずに上昇させる。この時、突起部Ｐ３は、溝部１３３を通過する。
そして、突起部Ｐ３の位置に、下部係合部１３２を配置し、作業装置１３０を埋設時の方向に回転させることで、突起部Ｐ３を下部係合部１３２に係合させ、作業装置１３０を降下させながら、下杭Ｐａを回転させて、さらに埋設し、所定位置（例えば、リーダ１２０の最下位置）に作業装置１３０を回転させながら降下させる。これにより、図４（ｂ）に示す状態となる。
【００３９】
その後、作業装置１３０を埋設時とは逆の方向に回転させて、突起部Ｐ３と下部係合部１３２との係合を解除し、突起部Ｐ３の位置に溝部１３３を配置し、作業装置１３０を回転させずに上昇させ、ロッド部材埋設用キャップ１の下端側から下杭Ｐａを抜く。この時、突起部Ｐ３は、溝部１３３を通過する。
【００４０】
そして、下杭Ｐａを埋設する手順と同様の手順で、図１に示すように、回動部１２の第１部材１２１及び第２部材１２２の連結を解除し、本体１０を開いた状態とし、図４（ｃ）に示すように、ロッド部材Ｐの上杭Ｐｂの突起部Ｐ３を、本体１０の上部係合部１３１に係合させ、第１部材１２１及び第２部材１２２を連結し、本体１０を閉じた状態とする。これにより、ロッド部材埋設用キャップ１を介して、上杭Ｐｂが作業装置１３０に連結され、状態となる。
【００４１】
その後、作業装置１３０を降下させ、下杭Ｐａの上端と上杭Ｐｂの下端とを連結し、下杭Ｐａ及び上杭Ｐｂを回転させて、さらに埋設し、所定位置（例えば、リーダ１２０の最下位置）に作業装置１３０を回転させながら降下させる。これにより、図５（ａ）に示す状態となる。
【００４２】
その後、作業装置１３０を埋設時とは逆の方向に回転させて、突起部Ｐ３と上部係合部１３１との係合を解除し、突起部Ｐ３の位置に溝部１３３を配置し、作業装置１３０を回転させずに上昇させる。この時、突起部Ｐ３は、溝部１３３を通過する。
そして、突起部Ｐ３の位置に、下部係合部１３２を配置し、作業装置１３０を埋設時の方向に回転させることで、突起部Ｐ３を下部係合部１３２に係合させ、作業装置１３０を降下させながら、下杭Ｐａ（図５（ａ）参照）及び上杭Ｐｂを回転させて、さらに埋設し、所定位置（例えば、上杭Ｐｂの杭頭が所定の杭頭レベルになる位置）に作業装置１３０を回転させながら降下させることで、図５（ｂ）に示す状態となる。
【００４３】
その後、作業装置１３０を埋設時とは逆の方向に回転させて、突起部Ｐ３と下部係合部１３２との係合を解除し、突起部Ｐ３の位置に溝部１３３を配置し、作業装置１３０を回転させずに上昇させ、ロッド部材埋設用キャップ１の下端側から下杭Ｐａを抜く。この時、突起部Ｐ３は、溝部１３３を通過する。これにより、図５（ｃ）に示す状態となる。
【００４４】
なお、本発明は前記実施形態に限定されるものではなく、本発明の目的を達成できる範囲での変形、改良等は本発明に含まれるものである。
【符号の説明】
【００４５】
１  ロッド部材埋設用キャップ
１０  本体
１１  固定部
１２  回動部
１３  係合部
２０  装着部
１００  杭打機
１１０  駆動装置
１２０  リーダ
１２１  第１部材
１２２  第２部材
１３０  作業装置
１３１  上部係合部
１３２  下部係合部
１３３  溝部
Ｐ  ロッド部材
Ｐ１  軸部
Ｐ２  羽根
Ｐ３  突起部
Ｐａ  下杭
Ｐｂ  上杭
【図１】
2020060043.tif 000003
【図２】
2020060043.tif 000004
【図３】
2020060043.tif 000005
【図４】
2020060043.tif 000006
【図５】
2020060043.tif 000007